(57)【特許請求の範囲】
【請求項１】
門を開閉動作する扉体と、
該扉体の先端部を開閉動作時において押上げ支持する押上げ部材と、
前記扉体の少なくとも下縁を支持するガイドローラと、前記押上げ部材を支持するガイドローラを有し、前記扉体と前記押上げ部材を開閉動作可能に懸架する支持体とを備えており、
該支持体は、地面に固定するベース部材と、
前記ガイドローラを取付けたガイドローラユニットを有しており、
該ガイドローラユニットは前記ベース部材に対して水平面内で時計方向と反時計方向に回動可能に取付けられており、
前記ガイドローラユニットを前記ベース部材に対して水平面内で時計方向と反時計方向に回動させて取付角度を調整する角度調整機構を備えている
ことを特徴とするノンレール引戸の支持体。
【請求項２】
前記支持体は、扉体の開閉方向において離間して配置された２組のガイドローラユニットを有しており、
各ガイドローラユニットに備えられた角度調整機構は、前記ベース部材との間に取付けられた押しボルト機構と引きボルト機構とからなる
ことを特徴とする請求項１記載のノンレール引戸の支持体。
【請求項３】
前記押しボルト機構および前記引きボルト機構は、いずれも前記支持体の裏面側に相当する一側に設けられている
ことを特徴とする請求項２記載のノンレール引戸の支持体。
【請求項４】
前記２組のガイドローラユニットのそれぞれに、地面からの取付け高さを調整する高さ調整機構が取付けられている
ことを特徴とする請求項２記載のノンレール引戸の支持体。
【発明の詳細な説明】
【技術分野】
【０００１】
本発明は、ノンレール引戸の支持体に関する。さらに詳しくは、レールを用いないで扉体を開閉できるようにしたノンレール引戸において扉体を懸架する支持体の構造に関する。
【背景技術】
【０００２】
ノンレール引戸の従来例として特許文献１の技術がある。この従来技術は図１１に示すように、支持体102に施したガイドローラに横長状の扉体101を懸架し、扉体101を長手方向に移動自在とした構造である。
より詳しくは、路面に支持体102を固設し、この支持体102に扉体101を案内するガイドローラＡ（Ａ１、Ａ２、Ａ３、Ａ４）が設けられており、扉体101の長手方向における移動を可能としている。扉体101の下方にはスチール製の押上げ部材103が配設されており、押上げ部材103は支持体102に設けられた支持ローラＢ（Ｂ１、Ｂ２）と押えローラＣ（Ｃ１、Ｃ２）によって挟持され、扉体101に沿って移動自在となっている。また、押上げ部材103の両端には押上げローラＤ１，Ｄ２を取付けており、この押上げローラＤ１，Ｄ２が扉体101の横移動を許容しつつ、扉体101の重量を下支えしている。
【０００３】
扉体101を開閉動作するときは、支持ローラＢ１，Ｂ２と押えローラＣ１，Ｃ２で挟持される押上げ部材103が追随して移動する。そして、押上げ部材103は円弧状に湾曲して、その両端部が中央部よりも高い位置にあるので、扉体101の開閉動作時にその先端部を押し上げるように作用し、扉体101の垂れ下がりを抑制するという働きを奏する。
【０００４】
ところで、扉体101を閉じるときは、扉体101の先端部を戸当り柱に当てて錠をかけてロックするのであるが、そうするには正面視においても平面視においても、扉体101の先端部と戸当り柱の位置が正対しなければならない。
しかるに、扉体101は支持体102で片持ちされた状態で移動するし、とくに扉で閉じる直前では戸当り柱が支持体102から遠く離れているので、その振れが大きくなりやすい。
このため扉体と戸当り柱がうまく正対せず錠でロックをかけられないことが生じやすい。
【０００５】
しかも、従来の支持体構造では、支持ローラＢ，Ｃも支持ローラＡ３，Ａ４も支持体102に対しても、支持体102を固定するベース部材に対しても取付位置が固定されているため、正対位置の調整は容易ではない。
たとえば、支持体102自体を基礎コンクリートに固定しているベース部材に対して動かして位置調整しようとすると重量の重い部材を動かすこととなるので労力的に大変である。また、微妙な位置調整をするには、何度も繰り返しを要するなど時間もかかっていた。
【先行技術文献】
【特許文献】
【０００６】
【特許文献１】特許第３０７８２２２号公報
【発明の概要】
【発明が解決しようとする課題】
【０００７】
本発明は上記事情に鑑み、扉体の振れを容易に調整できるノンレール引戸の支持体を提供することを目的とする。
【課題を解決するための手段】
【０００８】
第１発明のノンレール引戸の支持体は、門を開閉動作する扉体と、該扉体の先端部を開閉動作時において押上げ支持する押上げ部材と、前記扉体の少なくとも下縁を支持するガイドローラと、前記押上げ部材を支持するガイドローラを有し、前記扉体と前記押上げ部材を開閉動作可能に懸架する支持体とを備えており、該支持体は、地面に固定するベース部材と、前記ガイドローラを取付けたガイドローラユニットを有しており、該ガイドローラユニットは前記ベース部材に対して水平面内で時計方向と反時計方向に回動可能に取付けられており、前記ガイドローラユニットを前記ベース部材に対して水平面内で時計方向と反時計方向に回動させて取付角度を調整する角度調整機構を備えていることを特徴とする。
第２発明のノンレール引戸の支持体は、第１発明において、前記支持体は、扉体の開閉方向において離間して配置された２組のガイドローラユニットを有しており、各ガイドローラユニットに備えられた角度調整機構は、前記ベース部材との間に取付けられた押しボルト機構と引きボルト機構とからなることを特徴とする。
第３発明のノンレール引戸の支持体は、第２発明において、前記押しボルト機構および前記引きボルト機構は、いずれも前記支持体の裏面側に相当する一側に設けられていることを特徴とする。
第４発明のノンレール引戸の支持体は、第２発明において、前記２組のガイドローラユニットのそれぞれに、地面からの取付け高さを調整する高さ調整機構が取付けられていることを特徴とする。
【発明の効果】
【０００９】
第１発明によれば、角度調整機構によりガイドローラユニットをベース部材に対して時計方向または反時計方向に回動させて、その取付角度を調整すると、扉体を戸当り柱に対して正対するように調整することができる。
第２発明によれば、扉体の開閉方向に離間した２組のガイドローラユニットのそれぞれを、一方は押しボルト機構で他方は引きボルト機構で押し引きすることができるので、水平面内で回動させることによる角度調整を小さな力で容易に行える。
第３発明によれば、押しボルト機構も引きボルト機構も支持体の裏面側、すなわち塀が邪魔にならない庭側からのみ操作できるので、作業性が極めて良好である。
第４発明によれば、高さ調整ボルトによって２組のガイドローラユニットをそれぞれ高くしたり低くしたりできるので扉体の戸当り柱に対する高さ調整も可能となる。
【図面の簡単な説明】
【００１０】
【図１】本発明の一実施形態に係る支持体の要部正面図である。
【図２】図１の支持体の要部側面図である。
【図３】図１の支持体の要部平面図である。
【図４】図１の支持体における取付角度調整作用（反時計回り）の説明図である。
【図５】図１の支持体における取付角度調整作用（時計回り）の説明図である。
【図６】本発明の支持体を用いたノンレール引戸の正面図である。
【図７】図６のノンレール引戸の平面図である。
【図８】図６のノンレール引戸における開閉動作中の状態図である。
【図９】図６のノンレール引戸における開扉時の状態図である。
【図１０】支持体２の拡大正面図である。
【図１１】従来のノンレール引戸の説明図である。
【発明を実施するための形態】
【００１１】
つぎに、本発明の実施形態を図面に基づき説明する。
まず、本発明が適用されるノンレール引戸Ａの全体構成を図６および図７に基づき説明する。
ノンレール引戸Ａは扉体１と支持体２と押上げ部材３とから構成される。
扉体１は、上桟と下桟との間に多数本の縦形材を固定し、両端に縦框を固定した公知の扉である。
押上げ部材３は、扉体１の下方に配置された円弧状に湾曲した鋼材からなり、その両端には扉体１を下から支えるローラＤ１，Ｄ２が取付けられている。
支持体２は、２本の支柱２ａ，２ｂを強度部材とする構造体である。この支持体２の下部には第１、第２ガイドローラユニットＧ１，Ｇ２が配置されている。これらの基本構造は図１１の従来例と共通している。
なお、扉体１の左方には、戸当り柱４が地面から垂直に立つように立設されている。また、Ｗは門の左右に設けられた塀である。
【００１２】
扉体１は支持体２に懸架された状態で横方向に移動して門を開閉する。図６は閉門状態であり、図８は開閉途中の状態であり、図９は開門した状態を示している。
図６に示す閉門状態では、扉体１はその右端を支持体２で片持ち支持されており、押上げ部材３は扉体１の中間位置を押し上げるように支持して、扉体１の左端の垂れ下がりを防止している。
図８に示す開閉途中の状態では、扉体１の途中部分を支持している。なお、押上げ部材３は自由に横動できる状態であり、扉体１を下から押し上げている状態ではない。
図９に示す開門状態では、扉体１の左端が支持体２で片持ち支持されており、押上げ部材３は扉体１の中間位置を押し上げるように支持して、扉体１の右端の垂れ下がりを防止している。
【００１３】
図１０は上記のような扉体１および押上げ部材３を懸架する支持体２の拡大図である。
支持体２の下部にはベース部材７が設けられており、このベース部材７はアンカボルト５で地中の基礎コンクリートに固定されている。このベース部材７にガイドローラユニットが設置されているが、図示のように、ガイドローラユニットは、第１ガイドローラユニットＧ１と第２ガイドローラユニットＧ２からなり支持体２の左右方向（扉体１の開閉方向に同じ）において、離間して設けられている。
【００１４】
支持体２における各ガイドローラの取付位置は、つぎのとおりである。
第１ガイドローラユニットＧ１には、扉体１を支持するガイドローラＡ３と押上げ部材３を上下から挟持するガイドローラＣ１，Ｂ１が軸支されている。
第２ガイドローラユニットＧ２には、扉体１を支持するガイドローラＡ４と押上げ部材３を上下から挟持するガイドローラＣ２、Ｂ２が軸支されている。なお、これらの詳細は後述する。
また、支持体２の上部には、扉体１の動きをガイドするガイドローラＡ１，Ａ２が取付けられている。
【００１５】
つぎに、支持体２の要部である下部構造を図１〜図３に基づき説明する。
支持体２の支柱２ａ，２ｂに対応する位置には、それぞれベース部材７がアンカボルト５で固定されている。ベース部材７は四角形の板状部材である。アンカボルト５は図２に示すように地中に配置するアンカ板６を介して支柱２ａ，２ｂの地中部分に固定されている。この２枚のベース部材７の上に連結部材２０が載せられている。連結部材２０は、２本のアングル材２１，２２を並べて構成した部材であり、このアングル材２１，２２は支持体２の幅（左右方向の長さ）とほぼ同じ長さを有している。
そして、第１、第２ガイドローラユニットＧ１、Ｇ２は、２本のアングル材２１，２２の間に設けられている。
【００１６】
手前側（支柱２ａ，２ｂから遠い方）のアングル材２１には、図３に示すように、その両端部に２個の長孔３４，３４が形成され、各長孔３４には前記アンカボルト５が通されている。また、奥側（支柱２ａ，２ｂに近い方）のアングル材には、その両端部に１個の長孔３４が形成され、その長孔３４にも前記アンカボルト５が通されている。
これらの長孔３４は、いずれも連結部材２０の長手方向（換言すれば扉体１の長手方向）に直交する方向が長いので、連結部材２０を手前側に向けても、奥側に向けても、角度調整することができる。
【００１７】
第１、第２ガイドローラユニットＧ１，Ｇ２はいずれも、２枚の側板３１，３２からなるローラ取付板３０を有している。
第１ガイドローラユニットＧ１のローラ取付板３０における２枚の側板３１，３２の間には、既述した扉体１を下から支えるローラＡ３と押上げ部材３を挟持する上ローラＣ１と下ローラＢ１が軸支されている。
第２ガイドローラユニットＧ２のローラ取付板３０における２枚の側板３１，３２の間には、既述した扉体１を下から支えるローラＡ４と押上げ部材３を挟持する上ローラＣ２と下ローラＢ２が軸支されている。
【００１８】
つぎに、角度調整機構を説明する。
（押しボルト機構４０）
図１および図３において、各ベース部材７の手前側には、厚板からなる押しボルト支持板４１が立設されており、この押しボルト支持板４１には雌ネジ孔４２が形成されている。この雌ネジ孔４２にはボルト４５がねじ込み可能であり、ボルト４５をねじ込み、その先端をアングル材２１の立壁に押し当てて、さらにねじ込むと、連結部材２０を奥側に移動させることができる。
【００１９】
（引きボルト機構５０）
図１および図３に示す各ベース部材７において、２枚の側板３１，３２の間には、当てブロック５１が固定されている。
この当てブロック５１の真横にあるローラ取付板３０の側板３１には雌ネジ孔５２が形成され、さらにその横にあるアングル材２１の立壁21aには貫通孔５３が形成されている。雌ネジ孔５２はボルト４５が螺合するネジ孔であり、貫通孔５３は、その内径がボルト４５の外径より大きい孔である。このためボルト４５を貫通孔５３を通し、雌ネジ孔５２にねじ込み、その先端を当てブロック５１に押し当てて、さらにねじ込むと、連結部材２０を手前側に移動させることができる。
【００２０】
（高さ調整機構６０）
図１から図３に示すように、第１ガイドローラユニットＧ１におけるローラ取付板３０の左端部と第２ガイドローラユニットＧ２におけるローラ取付板３０の右端部には高さ調整機構６０が設けられている。
この高さ調整機構６０は、各ローラ取付板３０の側板３１，３２に固定された高さ調整板６１と、高さ調整ボルト６３とから構成されている。
高さ調整板６１には長孔６２が形成されており、この長孔６２は他の長孔３４と同様に支持体２の長手方向に直交する方向が長い長孔である。そして、この長孔６２には高さ調整ボルト６３が通され、上下のナット６４，６５で高さ調整板６１を挟んで固定できるようになっている。
また、この高さ調整板６１は、アンカ部材６にその下端が固定されており、ロール取付板３０の取付角度を調整するときの揺動中心となるものである。
【００２１】
つぎに、第１、第２ガイドローラユニットＧ１，Ｇ２の取付角度調整方法を説明する。
取付角度を調整する前に全てのアンカボルト５のナット５４と高さ調整ボルト６３のナット６４，６５を緩めておき、押しボルトと引きボルトを操作する。
（反時計回りの角度調整）
図４に示すように、第１、第２ガイドローラユニットＧ１，Ｇ２を反時計方向に回動させるには、第２ガイドローラユニットＧ２側の押しボルト支持板４１にボルト４５をねじ込んで、連結部材２０を奥側に押し込む。同時に第１ガイドローラユニットＧ１側の雌ネジ孔５２にボルト４５をねじ込んで連結部材２０を手前側に引き寄せる。こうすると、アングル材２１，２２に挟まれている第１、第２ガイドローラユニットＧ１，Ｇ２が反時計方向に動く。この結果、第１、第２ガイドローラユニットＧ１，Ｇ２で支持されている扉体１も押上げ部材３も、反時計方向に回動する。すなわち、扉体１の戸当り側は手前側に近づいてくる。
【００２２】
（時計回りの角度調整）
図５に示すように、第１、第２ガイドローラユニットＧ１，Ｇ２を時計方向に回動させるには、第１ガイドローラユニットＧ１側の押しボルト支持板４１にボルト４５をねじ込んで連結部材２０を奥側に押し込む。同時に第２ガイドローラユニットＧ２側の雌ネジ孔５２にボルト４５をねじ込んで連結部材２０を手前側に引き寄せる。こうするとアングル材２１，２２に挟まれている第１、第２ガイドローラユニットＧ１，Ｇ２は時計方向に動く。
この結果、第１、第２ガイドローラユニットＧ１，Ｇ２で支持されている扉体１も押上げ部材３も時計方向に回動する。すなわち、扉体１の戸当り側は奥側に向け離れていく。
【００２３】
この角度調整範囲は、±０．５°位であるが、扉先端での調整量は扉体幅３〜６ｍで先端調整量が±２５ｍｍ〜５５ｍｍとなるので、戸当り柱４に正対させるための角度調整としては充分である。
このような奥側と手前側への角度調整により戸当り柱４に正確に当て、錠でロックすることが可能となる。
【００２４】
高さ調整するときは、全てのアンカボルト５のナット５４を緩める。そして、第１、第２ガイドローラユニットＧ１、Ｇ２における高さ調整ボルト６３におけるナット６４，６５を緩めた上で、所望の高さに下側のナット６５の高さを調整し、上側のナット６４を締め付ける。
第１、第２ガイドローラユニットＧ１、Ｇ２におけるナット位置を高くすれば、扉体１を全体的に高く支持でき、両方のナット位置を低くすれば扉体１を全体的に低くすることができる。
そして、第２ガイドローラユニットＧ２のナット位置を低くし、第１ガイドローラユニットＧ１のナット位置を高くすれば、扉体１の左端（つまり戸当り側）が高くなるように傾斜させることもでき、逆にすれば、逆向きに傾斜させて戸当り側を低くすることができる。
【００２５】
（他の実施形態）
上記実施形態は扉体１が１枚の実施形態であったが、門の左右両側に支持体２を設置し、それぞれ１枚の扉体１を懸架させた２枚扉のノンレール引戸にも本発明の支持体構造を適用することができる。
また、前記実施形態ではガイドローラユニットの取付角度を調整したが、そうする代りにベース部材７に対して第１、第２ガイドローラユニットＧ１にＧ２を平行移動することによって、戸当り柱４に対して正対するように調整してもよい。
【符号の説明】
【００２６】
１    扉体
２    支持体
３    押上げ部材
７    ベース部材
３０    ローラ取付板
４１    押しボルト支持板
４２    雌ネジ孔
４５    ボルト
６０    高さ調整機構
Ｇ１    第１ガイドローラユニット
Ｇ２    第２ガイドローラユニット
【図１】
0005620867.tif 000002
【図２】
0005620867.tif 000003
【図３】
0005620867.tif 000004
【図４】
0005620867.tif 000005
【図５】
0005620867.tif 000006
【図６】
0005620867.tif 000007
【図７】
0005620867.tif 000008
【図８】
0005620867.tif 000009
【図９】
0005620867.tif 000010
【図１０】
0005620867.tif 000011
【図１１】
0005620867.tif 000012